(57)【要約】【課題】空気調和機の室内機の露処理カバーを廃止し、作業工数、部品点数の低減を図り、安価な空気調和機を提供することを目的とする。【解決手段】熱交換器２の前面側にドライ回路または配管ブロック５を有する空気調和機において、外郭を構成する前面枠７に前記ドライ回路または配管ブロック５の露処理形状８を具備したもので、従来の露処理カバーを廃止することが可能となり、作業工数の低減、部品点数の削減にも繋がりコストダウンになる。【選択図】図５
2010261607.tif 000002
【特許請求の範囲】
【請求項１】
熱交換器の前面側にドライ回路または配管ブロックを有する空気調和機において、外郭を構成する前面枠に前記ドライ回路または配管ブロックの露処理形状を具備したことを特徴とする空気調和機。
【請求項２】
通風抵抗にならないように、露処理形状にスリットを設けたことを特徴とする請求項１に記載の空気調和機。
【請求項３】
露処理形状のスリットの部分に、露の誘い形状を設けたことを特徴とする請求項２に記載の空気調和機。
【請求項４】
露処理形状の側面の壁を熱交換器の部分まで伸ばしたことを特徴とする請求項１〜３のいずれか１項に記載の空気調和機。
【発明の詳細な説明】
【技術分野】
【０００１】
本発明は、空気調和機に関するもので、特に、熱交換器の前面側にドライ回路または配管ブロックを有する空気調和機に関するものである。
【背景技術】
【０００２】
従来、熱交換器の前面側にドライ回路または配管ブロックを有する空気調和機において、ドライ回路または配管ブロックについた露が、撥水した熱交換器に滴下した時に前面枠から露が飛びだすという問題があった。
【０００３】
そこで、上記問題を解決するために、ドライ回路または配管ブロックについた露を熱交換器に誘い込むための露処理カバーが提案されている（例えば、特許文献１参照）。
【０００４】
以下に、図８を用いて、従来の空気調和機について説明する。
【０００５】
図８は、上記特許文献１に記載された従来の空気調和機の断面図である。図８において、従来の空気調和機の空気調和機本体１の内部には、熱交換器２と、送風機３と、風回路４が配設され、熱交換器２の前面側にはドライ回路または配管ブロック５が配置され、さらにその前面側には、ドライ回路または配管ブロック５の露処理による露処理カバー６が具備されている。また外郭を構成する前面枠７から空気調和機本体１が構成されている。
【先行技術文献】
【特許文献】
【０００６】
【特許文献１】実開昭５８−４９１２号公報
【発明の開示】
【発明が解決しようとする課題】
【０００７】
しかしながら、上記特許文献１に記載されたような従来の空気調和機の構成では、ドライ回路または配管ブロック５の露処理を行うためにドライ回路または配管ブロック５の前面側に露処理カバー６を配置するため、作業工数がかかりなおかつ、部品点数が増えコストＵＰにつながる、という課題があった。
【０００８】
本発明は、上記従来の課題を解決するもので、露処理カバーを廃止し、作業工数、部品点数の低減を図り、安価な空気調和機を提供することを目的とする。
【課題を解決するための手段】
【０００９】
前記従来の課題を解決するために、本発明の空気調和機は、熱交換器の前面側にドライ回路または配管ブロックを有する空気調和機において、外郭を構成する前面枠に前記ドライ回路または配管ブロックの露処理形状を具備したもので、従来の露処理カバーを廃止することが可能となり、作業工数の低減、部品点数の削減にも繋がりコストダウンになる。
【発明の効果】
【００１０】
本発明の空気調和機は、露処理カバーを廃止することが可能となり、作業工数の低減、部品点数の削減にも繋がりコストダウンになるという効果が得られる。
【図面の簡単な説明】
【００１１】
【図１】本発明の実施の形態１における空気調和機の室内機の正面図
【図２】同空気調和機の前面枠の斜視図
【図３】同空気調和機の熱交換器の斜視図
【図４】同空気調和機の断面図（図１のＡ−Ａ断面）
【図５】同空気調和機の要部拡大断面図
【図６】本発明の実施の形態２における空気調和機の要部拡大断面図
【図７】本発明の実施の形態３における空気調和機の断面図（図１のＢ−Ｂ断面）
【図８】従来の空気調和機の断面図
【発明を実施するための最良の形態】
【００１２】
第１の発明は、熱交換器の前面側にドライ回路または配管ブロックを有する空気調和機において、外郭を構成する前面枠に前記ドライ回路または配管ブロックの露処理形状を具備したもので、従来の露処理カバーを廃止することが可能となり、作業工数の低減、部品点数の削減にも繋がりコストダウンになる。
第２の発明は、特に、第１の発明の空気調和機において、通風抵抗にならないように、露処理形状にスリットを設けたもので、露処理カバーを廃止することが可能となり、作業工数の低減、部品点数の削減にも繋がりコストダウンになるという効果が得られる。
【００１３】
第３の発明は、特に、第２の発明の露処理形状のスリットの部分に、露の誘い形状を設けたもので、露処理カバーを廃止することが可能となり、作業工数の低減、部品点数の削減にも繋がりコストダウンになるという効果が得られる。
【００１４】
第４の発明は、特に、第１〜３のいずれか一つの発明の露処理形状の側面の壁を熱交換器の部分まで伸ばしたもので、冷媒音の騒音を低減させる外郭を構成する前面枠において、冷媒音を更に低減すると共に、従来の露処理カバーを廃止することが可能となり、作業工数の低減、部品点数の削減にも繋がりコストダウンになるという効果が得られる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の室内機の正面図、図２は、同空気調和機の前面枠の斜視図、図３は、同空気調和機の熱交換器の斜視図、図４は、同空気調和機の断面図（図１のＡ−Ａ断面）、図５は、同空気調和機の要部拡大断面図である。尚、上記従来の空気調和機と同一部品については、同一符号を付してその説明を省略する。
【００１７】
本実施の形態における空気調和機は、図５に示すように、外郭を構成する前面枠７から露処理形状８を設けたもので、これにより従来の露処理カバー６を廃止することが可能となり、作業工数の低減、部品点数の削減にも繋がりコストダウンになるという効果が得られる。
【００１８】
又、本実施の形態では、さらに、同図５に示すように、通風抵抗とならないように、露処理形状８にスリット９を設けている。これにより、空気調和機は、所定の空調性能を維持することができる。
【００１９】
（実施の形態２）
図６は、本発明の実施の形態２における空気調和機の要部拡大断面図である。尚、上記実施の形態１における空気調和機と同一部分には同一符号を付してその説明を省略する。
【００２０】
本実施の形態における空気調和機は、図６に示すように、露処理形状８のスリット９の部分に露の誘い形状１０を設けたものである。これにより、従来の露処理カバー６を廃止
することが可能となり、作業工数の低減、部品点数の削減にも繋がりコストダウンになるという効果が得られる。
【００２１】
（実施の形態３）
図７は、本発明の実施の形態３における空気調和機の断面図（図１のＢ−Ｂ断面）である。尚、上記実施の形態における空気調和機と同一部分には同一符号を付してその説明を省略する。
【００２２】
本実施の形態における空気調和機は、図７に示すように、露処理形状８の側面の壁１１を、熱交換器２の部分まで伸ばしたもので、冷媒音の騒音を低減させる外郭を構成する前面枠７において、冷媒音の騒音をより低減させると共に、従来の露処理カバー６を廃止することが可能となり、作業工数の低減、部品点数の削減にも繋がりコストダウンになるという効果が得られる。
【産業上の利用可能性】
【００２３】
以上のように、本発明にかかる空気調和機は、従来の露処理カバーを廃止することが可能となり、作業工数の低減、部品点数の削減にも繋がりコストダウンになるもので、家庭用、業務用を問わず、各種空気調和機に適用できる。
【符号の説明】
【００２４】
１  空気調和機本体
２  熱交換器
３  送風機
４  風回路
５  ドライ回路または配管ブロック
６  露処理カバー
７  前面枠
８  露処理形状
９  スリット
１０  誘い形状
１１  壁
【図１】
2010261607.tif 000003
【図２】
2010261607.tif 000004
【図３】
2010261607.tif 000005
【図４】
2010261607.tif 000006
【図５】
2010261607.tif 000007
【図６】
2010261607.tif 000008
【図７】
2010261607.tif 000009
【図８】
2010261607.tif 000010